(57)【要約】【課題】  電極面に接触している人体における温感を均一にすることができる超短波治療器を提供する。【解決手段】  板状の電極を有する一対の電極部１Ａ，１Ｂで人体２を挟み、両電極１Ａ，１Ｂ間に短波または超短波帯の電界を供給することにより人体２を加温する超短波治療器であって、前記一対の電極部１Ａ，１Ｂを人体２に密着するように湾曲させる。【選択図】    図１
2007000520.tif 000002
【特許請求の範囲】
【請求項１】
板状の電極を有する一対の電極部で人体を挟み、両電極間に短波または超短波帯の電界を供給することにより人体を加温する超短波治療器において、
前記一対の電極部を人体に密着するように湾曲させたことを特徴とする超短波治療器。
【請求項２】
前記一対の各電極部は、短波または超短波帯の電界が供給される電極端子が設けられ、該電極端子にケーブルが接続されている平板状電極を挟んで複数のフェルト材を積層し、該積層した複数のフェルト材の長さを人体の装着面側に近づくにつれて短くなるようにした状態で前記人体の装着側に湾曲させ、該湾曲させた状態でフェルト材外周を縫製することにより形成されていることを特徴とする請求項１に記載の超短波治療器。
【発明の詳細な説明】
【技術分野】
【０００１】
本発明は、短波又は超短波帯の電磁波を身体に照射し、身体に超短波が浸透することにより身体の組織自体を発熱させる超短波治療器に関する。
【背景技術】
【０００２】
従来のこの種の超短波治療器として電極（導子）がコンデンサタイプのものがある。この超短波治療器は、図２に示すように、平板状電極を有する一対の電極部１Ａ’，１Ｂ’を人体２に挟み、この一対の電極部１Ａ’，１Ｂ’内の平板状電極間に信号源３より短波または超短波の電界を供給して使用するように構成されている（特許文献１参照）。
【特許文献１】特開２００２−１７７４０４号公報
【発明の開示】
【発明が解決しようとする課題】
【０００３】
ところで、電極がコンデンサタイプの超短波治療器では、超短波治療器本体の負荷として、電極間で形成されるコンデンサの容量が問題となる。通常はこのコンデンサ容量は二つの電極の面積と二つの電極で挟まれる人体の誘電率で決定される。従来のコンデンサタイプの超短波治療器では、人体を挟む二つの電極が平板状に形成されているために、人体が電極に接触している部分と電極に接触していない部分とができ、そのため電極面で温感が高い部分と低い部分ができ、温感が均一でないという問題が有った。
【０００４】
本発明は、このような事情に鑑みてなされたものであり、電極面に接触している人体における温感を均一にすることができる超短波治療器を提供することを目的とする。
【課題を解決するための手段】
【０００５】
上記目的を達成するために請求項１に記載の発明は、板状の電極を有する一対の電極部で人体を挟み、両電極間に短波または超短波帯の電界を供給することにより人体を加温する超短波治療器において、前記一対の電極部を人体に密着するように湾曲させたことを特徴とする。
【０００６】
また、請求項２に記載の発明は、請求項１に記載の超短波治療器において、前記一対の各電極部は、短波または超短波帯の電界が供給される電極端子が設けられ、該電極端子にケーブルが接続されている平板状電極を挟んで複数のフェルト材を積層し、該積層した複数のフェルト材の長さを人体の装着面側に近づくにつれて短くなるようにした状態で前記人体の装着側に湾曲させ、該湾曲させた状態でフェルト材外周を縫製することにより形成されていることを特徴とする。
【発明の効果】
【０００７】
本発明によれば、板状の電極を有する一対の電極部で人体を挟み、両電極間に短波または超短波帯の電界を供給することにより人体を加温する超短波治療器において、前記一対の電極部を人体に密着するように湾曲させるようにしたので、人体への加温を均等にすることができるため温感を電極面全面で均等にすることができる。
【０００８】
また、本発明によれば、前記一対の各電極部は、短波または超短波帯の電界が供給される電極端子が設けられ、該電極端子にケーブルが接続されている板状電極を挟んで複数のフェルト材を積層し、該積層した複数のフェルト材の長さを人体の装着面側に近づくにつれて短くなるようにした状態で前記装着側に湾曲させ、該湾曲させた状態でフェルト材外周を縫製することにより形成したので、電極全面を人体に接触させることができ、人体への加温を均等にすることができるため温感を電極面全面で均等にすることができる。
【発明を実施するための最良の形態】
【０００９】
以下、本発明の実施形態を、図面を参照して詳細に説明する。本発明の実施形態に係る超短波治療器における電極部の構成を概念的に図１に示す。同図において、１Ａ，１Ｂは人体に密着させるように湾曲した曲面形状を有する一対の電極を含む電極部であり、断面形状を示している。一対の電極部１Ａ，１Ｂにより人体２を挟んで固定した状態を示している。
湾曲した曲面形状を有する電極を有する一対の電極部１Ａ，１Ｂで人体を挟み、両電極部１Ａ，１Ｂの電極間に信号源３により短波または超短波帯の高周波電界を供給することにより人体が発熱する。
【００１０】
既述したように、一対の電極部１Ａ，１Ｂに含まれる電極間で形成されるコンデンサの容量は、人体を挟む二つの電極の面積と、電極に挟まれる人体の誘電率で決定される。短波または超短波帯の高周波電界を上記二つの電極に印加することにより人体を加温するが、このとき人体を加温するエネルギーは人体の比誘電率に比例する。
【００１１】
従来の超短波治療器における電極部では図２に示すように電極部１Ａ’，１Ｂ’が人体に接触している部分と電極部１Ａ’，１Ｂ’間に空気が介在している部分とが有る。空気の比誘電率は人体（筋肉とした場合）の比誘電率よりはるかに小さい。因みに空気の比誘電率は1.00059（Ｆ／ｍ）であり、筋肉の比誘電率は約81（Ｆ／ｍ）である。誘電体の誘電率は誘電体の比誘電率に比例することから、人体の誘電率は空気の誘電率よりはるかに大きいことになる。既述したように、誘電率が大きいと誘電体での発熱が大きくなる。
【００１２】
したがって、人体を挟んだ状態で電極部が人体と接触している部分の一対の電極部間における人体部分の領域Ｐにおける発熱が大きくなり、人体と接触していない電極部間の領域は発熱が小さくなるので、従来の超短波治療器の電極部では、人体が接触している人体部分では、温感が高く、接触していない人体部分では温感が低くなる。このように従来の超短波治療器の電極部では、電極面において温感の高い部分と低い部分ができ、均等ではない。
これに対し、本発明の実施形態に係る超短波治療器における電極部では、図１に示すように、一対の電極部１Ａ，１Ｂを電極全面にわたって人体２に密着するように湾曲させて形成したので、電極全面に沿って電極部１Ａ，１Ｂが人体に接触し、それ故温感が電極全面にわたって均等となる。
【００１３】
本発明の実施形態に係る超短波治療器の電極部の概略構成を図３を参照して説明する。なお、一対の電極部は同一構造であるので、一方の電極部の構造についてのみ説明する。図３（ａ）は電極部を湾曲形状に仕上げる前の段階の構造を示している。図３（ａ）において、平板状の電極１００上には電極端子部１０２が形成されており、電極端子部１０２には、図示してない短波または超短波帯の高周波電界を発生する信号源と接続されるケーブル１０４の導体部の一端が接続されている。
【００１４】
電極１００は、電極部１Ａを湾曲形状に形成するために、人体に接触する装着側に向う程、湾曲させる方向（Ａ端からＢ端に向う方向）の長さが短くなるように長さの異なるフェルト材１１０、１１２、１１４を積層し、フェルト材１１２とフェルト材１１４との間に電極１００、電極端子部１０２を挟み込み、Ａ端とＢ端で揃え、フェルト材１１０、１１２、１１４、電極１００が湾曲した状態でフェルト材１１０、１１２、１１４の外周を縫製することにより湾曲形状の電極部１Ａが形成される（図３（ｂ））。電極部１Ｂについても同様である。
【００１５】
次に、図４に本発明の実施形態に係る超短波治療器の要部の具体的構成の一例を示す。同図に示すように、一対の電極部１Ａ，１Ｂがケーブル１０４、１０４を介して２ピンを有するプラグ１０６に接続されている。このプラグ１０６は、図示してない短波または超短波帯の高周波電界を生成する信号源に接続されるようになっている。電極部１Ａの湾曲方向と直交する方向のＩ−Ｉ断面に示すように電極１００上には電極端子部１０２が形成されており、電極端子部１０２には、図示してない短波または超短波帯の高周波電界を発生する信号源と接続されるケーブル１０４の導体部の一端が接続されている。１１０、１１２、１１４はフェルト材、１２０はクッションであり、積層されたフェルト材１１０、１１２、１１４、クッション１２０、電極１００が湾曲した状態を維持するように外周が縫製されている。１２４は電極部１Ａを人体にベルトで固定するのにベルトを通すためのベルト通しである。
【００１６】
図５に本発明の実施形態に係る超短波治療器の要部の具体的構成の他の例を示す。一対の電極部１Ｃ，１Ｄの構成は図４に示した電極部１Ａ，１Ｂの構成例と同様であるので、同一の構成要素には同一の符号を付して重複する説明は省略する。図５に示した超短波治療器では、電極部１Ｃに人体に電極部を装着するためのベルトが取り付けられている点が図４の構成例と異なる。なお１３１は、注意書きが記されたラベルである。
【図面の簡単な説明】
【００１７】
【図１】本発明の実施形態に係る超短波治療器の動作状態を概念的に示す説明図。
【図２】従来の超短波治療器の動作状態を概念的に示す説明図。
【図３】本発明の実施形態に係る超短波治療器の電極部の概略構成を示す説明図。
【図４】本発明の実施形態に係る超短波治療器要部の具体的構成の一例を示す構成図。
【図５】本発明の実施形態に係る超短波治療器要部の具体的構成の一例を示す構成図。
【符号の説明】
【００１８】
１Ａ、1Ａ’、１Ｂ、１Ｂ’、１Ｃ、１Ｄ…電極部、２…人体、３…信号源、１００…電極、１０２…電極端子部、１０４…ケーブル、１０６…プラグ、１１０、１１２、１１４…フェルト材、１２０…クッション、１３０…ベルト、
【図１】
2007000520.tif 000003
【図２】
2007000520.tif 000004
【図３】
2007000520.tif 000005
【図４】
2007000520.tif 000006
【図５】
2007000520.tif 000007